(57)【要約】    【課題】  画像を適正に表現するカラー／モノクロ画像データを外部機器に迅速に転送する。    【解決手段】  入力カラー画像データにカラー画像補正処理を行うカラー処理手段６０；該カラー画像補正処理と並行して、モノクロ画像データに変換するモノクロ処理手段５０；それらと並行して入力カラー画像データが表わす画像がカラー画像かモノクロ画像か判定するカラー／モノクロ判定手段４０；補正処理したカラー画像データおよび変換したモノクロ画像データを蓄積する記憶手段ＨＤＤ；外部機器ＰＣとの間でコマンドおよび書画情報の送受信を行う通信手段ＩＭＡＣ，３８；および、前記蓄積を終えてから、該通信手段を介して、カラー／モノクロの判定結果に応じて記憶手段ＨＤＤに蓄積したカラー画像データとモノクロ画像データの一方を、外部機器に転送する手段３１ａ；を備える画像データ処理装置ＡＣＰ。  【選択図】  図６
2006261927.tif 000002
【特許請求の範囲】
【請求項１】
入力カラー画像データにカラー画像補正処理を行うカラー処理手段；
前記カラー画像補正処理と並行して、入力カラー画像データにモノクロ画像変換処理を行いモノクロ画像データに変換するモノクロ処理手段；
前記カラー画像補正処理と並行して、前記入力カラー画像データが表わす画像がカラー画像かモノクロ画像か判定するカラー／モノクロ判定手段；
前記カラー処理手段が処理したカラー画像データおよび前記モノクロ処理手段が出力するモノクロ画像データを蓄積する記憶手段；
外部機器との間でコマンドおよび書画情報の送受信を行う通信手段；および、
前記蓄積を終えてから、該通信手段を介して、前記カラー／モノクロ判定手段の判定結果に応じて前記記憶手段に蓄積したカラー画像データとモノクロ画像データの一方を、外部機器に転送する手段；
を備える画像データ処理装置。
【請求項２】
前記入力カラー画像データを解像度を変換してから前記モノクロ処理手段に与える第１の解像度変換手段；および、前記入力カラー画像データを解像度を変換してから前記カラー処理手段に与える第２の解像度変換手段；を更に備える請求項１に記載の画像データ処理装置。
【請求項３】
第２の解像度変換手段は、第１の解像度変換手段が解像度を変換したカラー画像データの解像度を変換して前記カラー処理手段に与える；請求項２に記載の画像データ処理装置。
【請求項４】
第２の解像度変換手段の解像度変換は、第１の解像度変換手段が解像度を変換したカラー画像データの、画素間引きによる低解像度への変換である；請求項３に記載の画像データ処理装置。
【請求項５】
前記転送する手段は、前記外部機器が「カラー」を指定したときには前記記憶手段に蓄積したカラー画像データを、「モノクロ」を指定したときには前記記憶手段に蓄積したモノクロ画像データを、「自動」を指定した場合には、前記カラー／モノクロ判定手段の判定結果が「カラー」であると前記カラー画像データを判定結果が「モノクロ」であると前記モノクロ画像データを、前記通信手段を介して前記外部機器に転送する；請求項１乃至４のいずれか１つに記載の画像データ処理装置。
【請求項６】
前記モノクロ処理手段はカラー画像データをグレースケール画像データに変換し；前記転送する手段は、前記外部機器が「モノクロ（グレースケール）」を指定したときには前記記憶手段に蓄積したグレースケール画像データを、前記外部機器が「モノクロ（２値）」を指定したときには前記記憶手段に蓄積したグレースケール画像データをモノクロ２値画像データに２値化して該モノクロ２値画像データを、前記通信手段を介して前記外部機器に転送する；請求項５に記載の画像データ処理装置。
【請求項７】
前記モノクロ処理手段はカラー画像データをグレースケール画像データに変換し；
画像データ処理装置は更に、前記モノクロ処理手段が変換したグレースケール画像データをモノクロ２値画像データに変換する２値化手段；を備え、
前記記憶手段は前記カラー処理手段が処理したカラー画像データおよび前記２値化手段が出力するモノクロ２値画像データを蓄積し；
前記転送する手段は、前記外部機器が「モノクロ（２値）」を指定したときには前記記憶手段に蓄積したモノクロ２値画像データを、前記外部機器が「モノクロ（グレースケール）」を指定したときには前記記憶手段に蓄積したカラー画像データをグレースケール画像データに変換して該グレースケール画像データを、前記通信手段を介して前記外部機器に転送する；請求項５に記載の画像データ処理装置。
【請求項８】
前記転送する手段は、前記カラー／モノクロ判定手段の判定結果も、前記外部機器に転送する；請求項１乃至７のいずれか１つに記載の画像データ処理装置。
【請求項９】
前記転送する手段は、前記外部機器の再送要求に応答して、前記記憶手段に蓄積した画像データに基づく、再送要求に含まれる指定読み取りモードに対応する種類の画像データを、前記通信手段を介して前記外部機器に転送する；請求項１乃至８の何れか１つに記載の画像データ処理装置。
【請求項１０】
請求項１乃至９のいずれか１つに記載の画像データ処理装置；および、撮像素子を持ちそれに投影される画像の色成分画像データを発生して前記画像データ処理装置に入力する撮像手段；を備える画像処理装置。
【請求項１１】
前記撮像手段は、原稿画像を読み取って色成分画像データを発生する原稿スキャナである；請求項１０に記載の画像処理装置。
【請求項１２】
原稿スキャナは、原稿面全面が密着する広幅の透光板、および、該透光板を通して前記原稿面を照明し原稿面の反射光を透光板の延びる副走査方向に反射して撮像素子に結像し、該副走査方向に前記原稿面を走査する走査光学系を持つフラットベッド方式の原稿スキャナである；請求項１１に記載の画像処理装置。
【請求項１３】
前記外部機器が「複数読み取り」を指示したときは、前記転送する手段は原稿読み取りスタート指示入力に応答して実行する各ページ原稿読み取りの画像データを、前記記憶手段に生成した同一画像ファイルに格納し、前記外部機器が「複数終了」を報知すると、前記外部機器への前記画像データの転送を行う；請求項１２に記載の画像処理装置。
【請求項１４】
前記原稿スキャナは更に、前記副走査方向に前記透光板と並べて前記走査光学系が読み取り得る副走査位置に装備した幅が狭いシートスルー原稿読み取り用の窓、および、該窓を前記副走査方向に横切るように原稿を移送する自動原稿供給装置、を備える；請求項１２又は１３に記載の画像処理装置。
【請求項１５】
前記外部機器が「ＡＤＦの使用」を指示したときは、前記転送する手段は前記自動原稿供給装置が前記シートスルー原稿読み取り用の窓に送給する各ページ原稿の読み取りの画像データを、前記記憶手段に生成した同一画像ファイルに格納し、全原稿の読み取りが終了すると、前記外部機器への前記画像データの転送を行う；請求項１４に記載の画像処理装置。
【請求項１６】
請求項１乃至９のいずれか１つに記載の画像データ処理装置；
カラー記録成分画像データ又はモノクロ記録画像データが表わすカラー画像又はモノクロ画像を選択的に用紙上に形成し得るプリンタ；および、
外部機器が印刷指示する書画情報を、前記プリンタが適合する記録画像データに変換して前記プリンタに出力する印刷用処理手段；を備える画像形成装置。
【請求項１７】
請求項１０乃至１５のいずれか１つに記載の画像処理装置；
カラー記録成分画像データ又はモノクロ記録画像データが表わすカラー画像又はモノクロ画像を選択的に用紙上に形成し得るプリンタ；および、
撮像手段が発生する色成分画像データならびに外部機器が印刷指示する書画情報を、前記プリンタが適合する記録画像データに変換して前記プリンタに出力する印刷用処理手段；を備える画像形成装置。
【請求項１８】
カラー原稿スキャナ，画像データを蓄積する記憶手段，カラープリンタ，前記カラー原稿スキャナが発生する画像データに読み取り補正を加える読取補正手段，読み取り補正を加えた画像データを前記カラープリンタでプリントアウトするための記録色画像データに変換する画質補正手段，画像データ転送バス，前記カラー原稿スキャナから前記読取補正手段へそして前記画像データ転送バスへの画像データの流れ、ならびに、前記画像データ転送バスから前記画質補正手段へそして前記カラープリンタへの画像データの流れ、を制御する手段，外部機器と通信する通信手段，前記画像データ転送バスと前記記憶手段との間の画像データの流れを制御し、前記通信手段を介した外部機器からの書画情報を前記記憶手段に蓄積してから前記カラープリンタでプリントアウトする読み書き制御手段、および、該通信手段を介して前記記憶手段の書画情報を外部機器に送信する手段、を含む複合機能画像成形装置；前記通信手段が外部機器と通信するための、通信ライン，通信回線又はネットワークである通信媒体；および、該通信媒体を介して前記複合機能画像成形装置と通信する外部機器；を含み、該外部機器と前記複合機能画像成形装置との間で書画情報をやり取りする画像転送システムにおいて：
前記外部機器は、「カラー」，「自動」又は「モノクロ」の画像種をユーザが指定するための入力手段を持ち、ユーザが指定した画像種の画像読み取り転送を、前記通信媒体を介して前記複合機能画像成形装置に指示し；
該指示に応答して前記複合機能画像成形装置は、前記カラー原稿スキャナで原稿画像を読み取って、前記読取補正手段によって前記カラー原稿スキャナが発生するカラー画像データにカラー画像補正処理を行い、このカラー画像補正処理と並行して前記カラー原稿スキャナが発生するカラー画像データにモノクロ画像変換処理を行いモノクロ画像データに変換し、しかも、前記カラー画像補正処理と並行して、前記カラー原稿スキャナが発生するカラー画像データが表わす画像がカラー画像かモノクロ画像か判定し、前記読み書き制御手段によって前記カラー画像補正処理をしたカラー画像データおよび前記モノクロ画像変換処理をしたモノクロ画像データを前記記憶手段に蓄積して、蓄積を終えてから、前記指定が「カラー」であると前記記憶手段に蓄積したカラー画像データを、「モノクロ」であると前記記憶手段に蓄積したモノクロ画像データを、「自動」である場合には、前記カラー／モノクロ判定の結果が「カラー」であると前記カラー画像データを判定結果が「モノクロ」であると前記モノクロ画像データを、前記通信手段を介して前記外部機器に転送する；ことを特徴とする画像転送システム。
【請求項１９】
前記読取補正手段は、前記カラー原稿スキャナが発生するカラー画像データを第１の解像度のカラー画像データに変換してから、更に第２の解像度のカラー画像データに変換し、第１の解像度のカラー画像データにモノクロ画像変換処理を行いモノクロ画像データに変換し、第２の解像度のカラー画像データにカラー画像補正処理を行う；請求項１８に記載の画像転送システム。
【請求項２０】
第２の解像度のカラー画像データへの変換は、第１の解像度のカラー画像データの、画素間引きによる低解像度への変換である；請求項１９に記載の画像転送システム。
【発明の詳細な説明】
【技術分野】
【０００１】
本発明は、カラー画像データを補正処理して外部機器に転送する画像データ処理装置，デジタルカメラ又はカラー原稿スキャナとそれが発生するカラー画像データを補正処理し外部機器に転送する画像処理装置，該画像データ処理装置又は画像処理装置にプリンタが加わった画像形成装置、および、該画像形成装置と外部接続機器とそれらの間の通信を可能とする通信媒体の組み合わせでなる画像転送システム、に関し、例えば、デジタルカメラあるいはカラー原稿スキャナで読み取った画像を、通信媒体を介して外部機器、例えばコンピュータ，サーバ，ネットワークプリンタ，ネットワーク複写機或いはファクシミリ、に転送する用途に用いることができる。
【背景技術】
【０００２】
【特許文献１】特開平    ６−２０５２０４号公報
【特許文献２】特開２００１−２８５６５３号公報
【特許文献３】特開平  １０−３２６３３６号公報
【特許文献４】特開２００１−３３３２８２号公報。
【０００３】
特許文献１は、カラー原稿スキャナで原稿をプレスキャンして読み取り、画像データに基づいて、モノクロ／カラー，網点写真／銀塩写真等の画像種を判定し、判定結果を保存して、本スキャン時には判定結果に基づいて画像種に適した色補正処理を画像データに施す画像処理装置が記載されている。ところで、原稿画像読み取りの画像データをコンピュータなどに転送する場合には、プレスキャンと本スキャンをするので、コンピュータに画像を転送するまでに長い時間がかかり、オペレータの作業能率が低い。
【０００４】
特許文献２は、原稿の読み取りデータをメモリに一時的に格納してから原稿画像の種別（カラー／グレースケール／２値のモノクロ）を判定して、メモリの画像データを変換してから外部装置に転送する画像処理装置を記載している。この場合でも、スキャナによる原稿読み取り時間の後に、画像種別の判定時間、および、その後の判定結果対応の画像データ変換時間が必要であり、やはりコンピュータに画像を転送するまでに長い時間がかかり、オペレータの作業能率が低い。
【０００５】
特許文献３は、画像読み取り装置が発生するＲ，Ｇ，Ｂ画像データをカラー画像ファイルに書込むとともにＧデータをそのままグレースケール画像ファイルに書き込み、原稿全体の読み取りを終了すると、グレースケール画像ファイルの画像データに下地除去処理を施して２値モノクロ画像データを作成してモノクロ画像ファイルに書き込み、そして、カラー画像ファイルの画像データをカラー画像表示用プロパティシート上に画像表示し、グレースケール画像ファイルの画像データをグレースケール画像表示用プロパティシート上に画像表示し、２値モノクロ画像ファイルの画像データを２値モノクロ画像表示用プロパティシート上に画像表示する画像処理装置を記載している。しかし、どの画像ファイルの画像データ（カラー画像データ／グレースケール画像データ／２値モノクロ画像データ）が原稿画像を適正に表すかは不明である。よって、外部機器への画像データの転送が必要な場合、１種の画像ファイルのみを外部機器に転送すると画像表現が不適な画像データを転送してしまうおそれがある。仮に３種の画像ファイルを外部機器に転送すると、外部機器における画像処置が複雑になって、オペレータの作業能率が低くなる。
【０００６】
特許文献４は、例えばスキャナ機能があるファクシミリにパソコンＰＣが接続されている画像処理システムにおいて、原稿読み取りの画像データに対してカラー画像処理と簡易モノクロ画像処理を同時実行して、カラー画像処理を施したカラー画像データはＰＣに転送し、簡易モノクロ画像処理で得た画像データはファクシミリ送信する画像処理装置を記載している。しかし、ＰＣにはカラー画像データが送られるため、モノクロ２値画像の場合でも、データ量が大きいカラー画像データをＰＣに転送することになり、ＰＣのデータ処置の負担が過分になることが考えられる。
【発明の開示】
【発明が解決しようとする課題】
【０００７】
本願発明は、画像を適正に表現する画像データを外部機器に迅速に転送することを目的とする。
【課題を解決するための手段】
【０００８】
（１）入力カラー画像データにカラー画像補正処理を行うカラー処理手段(60)；
前記カラー画像補正処理と並行して、入力カラー画像データにモノクロ画像変換処理を行いモノクロ画像データに変換するモノクロ処理手段(50)；
前記カラー画像補正処理と並行して、前記入力カラー画像データが表わす画像がカラー画像かモノクロ画像か判定するカラー／モノクロ判定手段(40)；
前記カラー処理手段(60)が処理したカラー画像データおよび前記モノクロ処理手段(50)が出力するモノクロ画像データを蓄積する記憶手段(HDD)；
外部機器(PC)との間でコマンドおよび書画情報の送受信を行う通信手段(IMAC,38)；および、
前記蓄積を終えてから、該通信手段(IMAC,38)を介して、前記カラー／モノクロ判定手段(40)の判定結果に応じて前記記憶手段(HDD)に蓄積したカラー画像データとモノクロ画像データの一方を、外部機器(PC)に転送する手段(31a)；
を備える画像データ処理装置(ACP)。
【０００９】
なお、理解を容易にするためにカッコ内には、図面に示し後述する実施例の対応要素の符号又は対応事項を、例示として参考までに付記した。以下も同様である。
【発明の効果】
【００１０】
入力カラー画像データをカラー処理手段(60)とモノクロ処理手段(50)で並行して処理して記憶手段(HDD)に蓄積し、しかもこれらの処理と並行して入力カラー画像データが表わす画像が「カラー」か「モノクロ」かの判定処理を行うので、１ページの画像の処理を終え、「カラー」か「モノクロ」かの判定結果を得たときには、記憶手段(HDD)にはカラー画像補正処理したカラー画像データとモノクロ画像データが並存する。判定結果に応じて一方の画像データを外部機器に転送するので、入力カラー画像データの読み込みを終えると即座に、入力カラー画像データが表わす画像の種類（カラー／モノクロ）に適合した画像データが外部機器に送信できる。外部機器は、適正に処理した画像データを迅速に得ることができる。
【発明を実施するための最良の形態】
【００１１】
（２）前記入力カラー画像データを解像度を変換してから前記モノクロ処理手段(50)に与える第１の解像度変換手段(41)；および、前記入力カラー画像データを解像度を変換してから前記カラー処理手段(60)に与える第２の解像度変換手段(42/43)；を更に備える上記（１）に記載の画像データ処理装置(ACP)。これによれば、カラー画像データとモノクロ画像データを、個別の、合理的な解像度で得ることができる。
【００１２】
（３）第２の解像度変換手段(43)は、第１の解像度変換手段(41)が解像度を変換したカラー画像データの解像度を変換して前記カラー処理手段(60)に与える；上記（２）に記載の画像データ処理装置(ACP)。例えばモノクロは３００ｄｐｉ、カラーは１５０ｄｐｉなど、モノクロとカラーの解像度比は２の冪乗とすることが多く、その場合、第２の解像度変換手段(43)は、画素の間引き或いは挿入による、簡単な解像度変換を採用することができる。
【００１３】
（４）第２の解像度変換手段(43)の解像度変換は、第１の解像度変換手段(41)が解像度を変換したカラー画像データの、画素間引きによる低解像度への変換である；上記（３）に記載の画像データ処理装置(ACP)。これによれば、第２の解像度変換手段(43)は、画素の間引による、簡単な解像度変換を採用することができる。
【００１４】
（５）前記転送する手段(31a)は、前記外部機器(PC)が「カラー」を指定したときには前記記憶手段(HDD)に蓄積したカラー画像データを、「モノクロ」を指定したときには前記記憶手段(HDD)に蓄積したモノクロ画像データを、「自動」を指定した場合には、前記カラー／モノクロ判定手段(40)の判定結果が「カラー」であると前記カラー画像データを判定結果が「モノクロ」であると前記モノクロ画像データを、前記通信手段(IMAC,38)を介して前記外部機器(PC)に転送する；上記（１）乃至（４）のいずれか１つに記載の画像データ処理装置(ACP)。これによれば、外部機器(PC)のユーザはたとえば、カラー画像が所望であれば「カラー」と指定し、モノクロが所望であれば「モノクロ」と指定し、カラーとモノクロのいずれがよいか判断がつかないときには「自動」を指定することにより、希望の種類（カラー／モノクロ）の画像データを入手することができ、また、画像に合った種類の画像データを入手することができる。
【００１５】
（６）前記モノクロ処理手段(50)はカラー画像データをグレースケール画像データに変換し；前記転送する手段(31a)は、前記外部機器(PC)が「モノクロ（グレースケール）」を指定したときには前記記憶手段(HDD)に蓄積したグレースケール画像データを、前記外部機器(PC)が「モノクロ（２値）」を指定したときには前記記憶手段(HDD)に蓄積したグレースケール画像データをモノクロ２値画像データに２値化して該モノクロ２値画像データを、前記通信手段(IMAC,38)を介して前記外部機器(PC)に転送する；上記（５）に記載の画像データ処理装置(ACP)。これは、モノクロ処理手段(50)の出力がグレースケールであるが、外部機器が、「モノクロ（グレースケール）」のみならず「モノクロ（２値）」をも指定できる態様である。モノクロ処理手段(50)の出力（グレースケール）とは異なる「モノクロ（２値）」を外部機器が指定したときには、前記転送する手段(31a)はモノクロ（グレースケール）画像データを２値化して外部機器(PC)に転送する。２値化は画像処理では汎用的なものでありしかも処理が簡単であるので、「モノクロ（２値）」画像データの転送を簡易に行うことができる。
【００１６】
（７）前記モノクロ処理手段(50)はカラー画像データをグレースケール画像データに変換し；
画像データ処理装置(ACP)は更に、前記モノクロ処理手段(50)が変換したグレースケール画像データをモノクロ２値画像データに変換する２値化手段(55)；を備え、
前記記憶手段(HDD)は前記カラー処理手段(60)が処理したカラー画像データおよび前記２値化手段(55)が出力するモノクロ２値画像データを蓄積し；
前記転送する手段(31a)は、前記外部機器(PC)が「モノクロ（２値）」を指定したときには前記記憶手段(HDD)に蓄積したモノクロ２値画像データを、前記外部機器(PC)が「モノクロ（グレースケール）」を指定したときには前記記憶手段(HDD)に蓄積したカラー画像データをグレースケール画像データに変換して該グレースケール画像データを、前記通信手段(IMAC,38)を介して前記外部機器(PC)に転送する；上記（２）に記載の画像データ処理装置(ACP)。
【００１７】
これは、記憶手段に蓄積するモノクロ画像データが「モノクロ（２値）」であるが、外部機器が、「モノクロ（２値）」のみならず「モノクロ（グレースケール）」をも指定できる態様である。蓄積したモノクロ画像データ（２値）とは異なる「モノクロ（グレースケール）」を外部機器が指定したときには、前記転送する手段(31a)は記憶手段に蓄積しているカラー画像データをグレースケールに変換して外部機器(PC)に転送する。この場合、再度の原画像データの入力は不要であるので、長時間を要しない。なお、モノクロ２値画像データの多値化処理によってグレースケール画像データを得ることができるが、処理が複雑で時間がかかりしかも画質が低い可能性が高いので、カラー画像データをグレースケールに変換する処理の方が好ましい。
【００１８】
（８）前記転送する手段(31a)は、前記カラー／モノクロ判定手段(40)の判定結果も、前記外部機器(PC)に転送する；上記（１）乃至（７）のいずれか１つに記載の画像データ処理装置(ACP)。これによれば、外部機器(PC)で判定結果を参照できる。
【００１９】
（９）前記転送する手段(31a)は、前記外部機器(PC)の再送要求に応答して、前記記憶手段(HDD)に蓄積した画像データに基づく、再送要求に含まれる指定読み取りモードに対応する種類の画像データを、前記通信手段(IMAC,38)を介して前記外部機器(PC)に転送する；上記（１）乃至（８）の何れか１つに記載の画像データ処理装置(ACP)。これによれば、再送要求があると、原稿読み取りを再度行うことなく記憶手段(HDD)に蓄積した画像データに基づいて指定の種類の画像データを外部機器(PC)に再度転送するので、外部機器(PC)は迅速に所望種の画像データを得ることができる。
【００２０】
（１０）上記（１）乃至（９）のいずれか１つに記載の画像データ処理装置(ACP)；および、撮像素子(207)を持ちそれに投影される画像の色成分画像データを発生して前記画像データ処理装置(ACP)に入力する撮像手段(210)；を備える画像処理装置。これによれば、撮像手段(210)が１回の撮像を終えると即座に、撮像画像の種類（カラー／モノクロ）に適合した画像データが外部機器に送信できる。外部機器は、撮像画象を適正に処理した画像データを迅速に得ることができる。
【００２１】
（１１）前記撮像手段(210)は、原稿画像を読み取って色成分画像データを発生する原稿スキャナ(210)である；上記（１０）に記載の画像処理装置。これによれば、原稿スキャナ(210)が原稿読み取りを終えると即座に、読み取り原稿の画像の種類（カラー／モノクロ）に適合した画像データが外部機器に送信できる。外部機器は、撮像画象を適正に処理した画像データを迅速に得ることができる。
【００２２】
（１２）原稿スキャナ(210)は、原稿面全面が密着する広幅の透光板(231)、および、該透光板(231)を通して前記原稿面を照明し原稿面の反射光を透光板(231)の延びる副走査方向（ｙ）に反射して撮像素子に結像し、該副走査方向（ｙ）に前記原稿面を走査する走査光学系を持つフラットベッド方式の原稿スキャナ(210)である；上記（１１）に記載の画像処理装置。これによれば、１枚毎に分離したシート原稿は勿論、ブック原稿の画像も読み取って外部機器(PC)に送信することができる。
【００２３】
（１３）前記外部機器(PC)が「複数読み取り」を指示したときは、前記転送する手段(31a)は原稿読み取りスタート指示入力に応答して実行する各ページ原稿読み取りの画像データを、前記記憶手段に生成した同一画像ファイルに格納し、前記外部機器(PC)が「複数終了」を報知すると、前記外部機器(PC)への前記画像データの転送を行う；上記（１２）に記載の画像処理装置。これによれば、「複数読み取り」の指示があってから「複数終了」の指示があるまでに読み取った各ページの画像データが１グループのものとして記憶手段の同一画像ファイルに格納され、この画像ファイルが外部機器(PC)に転送される。したがって外部機器(PC)においては、複数ページの原稿画像を１ファイルとして処置できる。外部機器(PC)における１グループ原稿の画像整理が簡易になる。
【００２４】
（１４）前記原稿スキャナ(210)は更に、前記副走査方向（ｙ）に前記透光板(231)と並べて前記走査光学系が読み取り得る副走査位置に装備した幅が狭いシートスルー原稿読み取り用の窓(240)、および、該窓(240)を前記副走査方向（ｙ）に横切るように原稿を移送する自動原稿供給装置(230)、を備える；上記（１２）又は（１３）に記載の画像処理装置。これによれば複数枚でなる原稿束の各原稿を自動的に順次に読み取り、原稿束を１グループとする画像データグループを１ファイルにして外部機器(PC)に送信できる。ブック原稿読み取りおよび原稿束読み取りの両方が可能である。
【００２５】
（１５）前記外部機器(PC)が「ＡＤＦの使用」を指示したときは、前記転送する手段(31a)は前記自動原稿供給装置(230)が前記シートスルー原稿読み取り用の窓(240)に送給する各ページ原稿の読み取りの画像データを、前記記憶手段に生成した同一画像ファイルに格納し、全原稿の読み取りが終了すると、前記外部機器(PC)への前記画像データの転送を行う；上記（１４）に記載の画像処理装置。これによれば、複数枚でなる原稿束の各原稿を自動的に順次に読み取り、原稿束を１グループとする画像データグループを１ファイルにして外部機器(PC)に送信するので、外部機器(PC)における１原稿束の画像整理が簡易になる。
【００２６】
（１６）上記（１）乃至（９）のいずれか１つに記載の画像データ処理装置(ACP)；
カラー記録成分画像データ又はモノクロ記録画像データが表わすカラー画像又はモノクロ画像を選択的に用紙上に形成し得るプリンタ(PTR)；および、
外部機器(PC)が印刷指示する書画情報を、前記プリンタ(PTR)が適合する記録画像データに変換して前記プリンタ(PTR)に出力する印刷用処理手段(ACP)；
を備える画像形成装置。これによれば、入力画像データを適当な画像種（カラー／モノクロ）の画像データに変換して外部機器(PC)に転送できるのに加えて、プリンタ(PTR)で用紙上に印刷できる。
【００２７】
（１７）上記（１０）乃至（１５）のいずれか１つに記載の画像処理装置；
カラー記録成分画像データ又はモノクロ記録画像データが表わすカラー画像又はモノクロ画像を選択的に用紙上に形成し得るプリンタ(PTR)；および、
撮像手段(210)が発生する色成分画像データならびに外部機器(PC)が印刷指示する書画情報を、前記プリンタ(PTR)が適合する記録画像データに変換して前記プリンタ(PTR)に出力する印刷用処理手段(ACP)；
を備える画像形成装置。これによれば、撮像手段(210)が発生する色成分画像データを適当な画像種（カラー／モノクロ）の画像データに変換して外部機器(PC)に転送できるのに加えて、プリンタ(PTR)で用紙上に印刷できる。
【００２８】
（１８）カラー原稿スキャナ(210)，画像データを蓄積する記憶手段(MEM,HDD)，カラープリンタ(PTR)，前記カラー原稿スキャナ(210)が発生する画像データに読み取り補正を加える読取補正手段(IPP)，読み取り補正を加えた画像データを前記カラープリンタ(PTR)でプリントアウトするための記録色画像データに変換する画質補正手段(IPP)，画像データ転送バス(Pb)，前記カラー原稿スキャナ(210)から前記読取補正手段(IPP)へそして前記画像データ転送バス(Pb)への画像データの流れ、ならびに、前記画像データ転送バス(Pb)から前記画質補正手段(IPP)へそして前記カラープリンタ(PTR)への画像データの流れ、を制御する手段(CDIC)，外部機器(PC,ファクシミリ)と通信する通信手段(31a,32a,FCU,38)，前記画像データ転送バス(Pb)と前記記憶手段(MEM,HDD)との間の画像データの流れを制御し、前記通信手段(31a,32a,FCU,38)を介した外部機器からの書画情報を前記記憶手段に蓄積してから前記カラープリンタ(PTR)でプリントアウトする読み書き制御手段(IMAC,31a〜36a)、および、該通信手段(31a,32a,FCU,38)を介して前記記憶手段(MEM,HDD)の書画情報を外部機器(PC,ファクシミリ)に送信する手段(31a,IMAC)、を含む複合機能画像成形装置；前記通信手段(31a,32a,FCU,38)が外部機器(PC,ファクシミリ)と通信するための、通信ライン(32a)，通信回線(PN)又はネットワーク(LAN,インターネット)である通信媒体；および、該通信媒体を介して前記複合機能画像成形装置と通信する外部機器(PC)；を含み、該外部機器と前記複合機能画像成形装置との間で書画情報をやり取りする画像転送システムにおいて：
前記外部機器(PC)は、「カラー」，「自動」又は「モノクロ」の画像種をユーザが指定するための入力手段(図９／図１１)を持ち、ユーザが指定した画像種の画像読み取り転送を、前記通信媒体を介して前記複合機能画像成形装置に指示し；
該指示に応答して複合機能画像成形装置は、前記カラー原稿スキャナ(210)で原稿画像を読み取って、前記読取補正手段(IPP)によって前記カラー原稿スキャナ(210)が発生するカラー画像データにカラー画像補正処理を行い、このカラー画像補正処理と並行して前記カラー原稿スキャナ(210)が発生するカラー画像データにモノクロ画像変換処理を行いモノクロ画像データに変換し、しかも、前記カラー画像補正処理と並行して、前記カラー原稿スキャナ(210)が発生するカラー画像データが表わす画像がカラー画像かモノクロ画像か判定し、前記読み書き制御手段(IMAC,31a〜36a)によって前記カラー画像補正処理をしたカラー画像データおよび前記モノクロ画像変換処理をしたモノクロ画像データを前記記憶手段(HDD)に蓄積して、蓄積を終えてから、前記指定が「カラー」であると前記記憶手段(HDD)に蓄積したカラー画像データを、「モノクロ」であると前記記憶手段(HDD)に蓄積したモノクロ画像データを、「自動」である場合には、前記カラー／モノクロ判定の結果が「カラー」であると前記カラー画像データを判定結果が「モノクロ」であると前記モノクロ画像データを、前記通信手段(31a,32a,FCU,38)を介して前記外部機器(PC)に転送する；ことを特徴とする画像転送システム（図４，図８／図１０／図１４）。
【００２９】
これによれば、複合機能画像成形装置で原稿画像を読み取って適当な画像種（カラー／モノクロ）の画像データに補正又は変換して、通信媒体を介して外部機器(PC)に送信できる。また、複合機能画像成形装置で外部機器(PC)から書画情報を受信してプリントアウトできるし、複写もできる。
【００３０】
（１９）前記読取補正手段(IPP)は、前記カラー原稿スキャナ(210)が発生するカラー画像データを第１の解像度のカラー画像データに変換してから、更に第２の解像度のカラー画像データに変換し、第１の解像度のカラー画像データにモノクロ画像変換処理を行いモノクロ画像データに変換し、第２の解像度のカラー画像データにカラー画像補正処理を行う；上記（１８）に記載の画像転送システム（図１２）。モノクロは３００ｄｐｉ、カラーは１５０ｄｐｉなど、モノクロとカラーの解像度比は２の冪乗となることが多く、その場合、第２の解像度は、画素の間引き或いは挿入による、簡単な解像度変換で実現できる。
【００３１】
（２０）第２の解像度のカラー画像データへの変換は、第１の解像度のカラー画像データの、画素間引きによる低解像度への変換である；上記（１９）に記載の画像転送システム（図１２）。これによれば、第２の解像度は、画素の間引による、簡単な解像度変換で実現できる。
【００３２】
（２１）第１の解像度は３００ｄｐｉ、第２の解像度は１５０ｄｐｉである；上記（１９）又は（２０）に記載の画像転送システム。これによれば、実用上十分な画像品質かつ少データ量のモノクロ画像データおよびカラー画像データが外部機器（ＰＣ）に転送される。データ量が少ないので、複合機能画像成形装置と外部機器(PC)との間のデータ転送時間が短く、しかも複合機能画像成形装置と外部機器(PC)における画像データ処理が容易である。
【００３３】
本発明の他の目的および特徴は、図面を参照した以下の実施例の説明より明らかになろう。
【実施例１】
【００３４】
図１に、本発明の第１実施例の複合機能フルカラーデジタル複写機を示す。このフルカラー複写機は、大略で、自動原稿送り装置（ＡＤＦ）２３０と、操作ボード２２０と、カラースキャナ２１０と、カラープリンタＰＴＲおよびフィニッシャ１００の各ユニットで構成されている。なお、操作ボード２２０，ＡＤＦ２３０付きのカラースキャナ２１０およびフィニッシャ１００は、プリンタＰＴＲから分離可能なユニットであり、カラースキャナ２１０は、動力機器ドライバやセンサ入力およびコントローラを有する制御ボードを有して、画像データ処理装置ＡＣＰ（図４）と通信を行いタイミング制御されて原稿画像の読み取りを行う。パソコンＰＣは、ＬＡＮ(Local Area Network)を介して複写機の画像データ処理装置ＡＣＰ（図４）に接続されている。ファクシミリコントロールユニットＦＣＵ（図４）には、電話回線ＰＮ（ファクシミリ通信回線）に接続された交換器ＰＢＸが接続されている。カラープリンタＰＴＲのプリント済の用紙は、フィニッシャ１００に排出される。
【００３５】
図２に、カラープリンタＰＴＲの機構を示す。この実施例のカラープリンタＰＴＲは、レーザプリンタである。１色のトナー像を形成する、感光体１５および現像器２７ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト１６に沿ってタンデムに配列されており、それらによって形成された各色トナー像が順次に一枚の転写紙上に重ねて転写される。
【００３６】
第１トレイ８，第２トレイ９および第３トレイ１０に積載された転写紙は、各々第１給紙装置１１，第２給紙装置１２および第３給紙装置１３によって給紙され、縦搬送ユニット１４によって感光体１５に当接する位置まで搬送される。スキャナ５０にて読み込まれた画像データは、書込ユニット６０からのレーザー露光によって、図示を省略したチャージャによって均一に荷電した感光体１５に書込まれこれにより静電潜像を形成する。この静電潜像が現像ユニット２７を通過することによって感光体１５上にトナー像が現れる。転写紙が感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００３７】
図２に示す、後処理装置のフィニシャ１００は、本体の排紙ユニット１８によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００３８】
一方、通常の排紙トレイ１０４は前後（図２紙面と垂直な方向）に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００３９】
転写紙の両面に画像を作像する場合は、各給紙トレイ８〜１０から給紙され作像された転写紙を排紙トレイ１０４側に導かないで、経路切り替えの為の分岐爪１９を下向きに廻す事で、一旦反転ユニット１１２に導き、そして両面給紙ユニット１１１にストックする。
【００４０】
その後、両面給紙ユニット１１１にストックされた転写紙は再び感光体１５に作像されたトナー画像を転写するために、両面給紙ユニット１１１から再給紙され、経路切り替えの為の分岐爪１１２を図示水平に戻し、排紙トレイ１０４に導く。この様に転写紙の両面に画像を作成する場合に、反転ユニット１１２および両面給紙ユニット１１１が使用される。
【００４１】
感光体１５，搬送ベルト１６，定着ユニット１７，排紙ユニット１８および現像ユニット２７は、図示を省略したメインモータによって駆動され、各給紙装置１１〜１３はメインモータの駆動を、やはり図示を省略した各給紙クラッチによって伝達することにより駆動される。縦搬送ユニット１４は、メインモータの駆動を図示を省略した中間クラッチによって伝達することにより駆動される。
【００４２】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００４３】
このようにスキャナ２１０は、コンタクトガラス２３１上の原稿を照明灯およびミラーで走査して原稿画像をＣＣＤ２０７に投影するフラットベッド方式の原稿スキャナであるが、シートスルー読み取りも可能なように、第１キャリッジがホームポジションで停止しているときの第１ミラー２３３の読み取り視野位置に、シートスルー読み取り窓であるガラス２４０があり、このガラス２４０の上方に自動原稿供給装置(ＡＤＦ)２３０が装着されており、ＡＤＦ２３０の搬送ドラム（プラテン）２４４がガラス２４０に対向している。
【００４４】
ＡＤＦ２３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００４５】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００４６】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００４７】
図４に、図１に示す複写機の画像処理系統のシステム構成を示す。このシステムでは、読取ユニット２１１と画像データ出力Ｉ／Ｆ(Interface：インターフェイス)２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタＰＴＲが接続されている。カラープリンタＰＴＲは、画像データ処理装置ＡＣＰの画像データ処理器ＩＰＰ（Image Processing Processor；以下では単にＩＰＰと記述）から、書込みＩ／Ｆ１３４にＹＭＣＫ記録画像データを受けて、作像ユニット１３５でプリントアウトする。作像ユニット１３５は、図２に示すものである。
【００４８】
画像データ処理装置ＡＣＰ（図４）はルータに接続されており、該ルータには、パソコンＰＣが接続したＬＡＮのハブ（図示略）およびインターネットに接続したモデム（図示略）が接続されており、画像データ処理装置ＡＣＰは、ＬＡＮに接続した機器（例えば、パソコンＰＣ，サーバＤＳＲ，プリンタ，スキャナ，複合機能複写機など）と通信して画像データの送，受信をすることができる。また、インターネットを介して、インターネット通信機能がある他の機器と通信して画像データの送，受信をすることができる。ＬＡＮのハブに接続された配信サーバＤＳＲは、それに送信された又は蓄積したファイル（メール，画像）を、指定された又は登録された宛て先（ＬＡＮ接続機器又はインターネット接続機器）に配信するコンピュータである。
【００４９】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００５０】
カラー原稿スキャナ２１０の、原稿を光学的に読み取る読取ユニット２１１のＣＣＤ２０７の撮像素子が発生するＲＧＢ画像信号は、センサボードユニットＳＢＵ上で信号処理しかつＲＧＢ画像データに変換しかつシェーディング補正して、出力Ｉ／Ｆ２１２を介してＣＤＩＣに送出する。
【００５１】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。
【００５２】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００５３】
画像メモリアクセス制御ＩＭＡＣ（以下では単にＩＭＡＣと記述）は、パソコンのハードウエアおよびソフトウエアと同等のものを備えており、ＭＥＭおよびＨＤＤに対する画像データ，制御データの書き込み／読み出しを制御する他に、ｗｗｗサーバ（ソフト），ＦＴＰサーバ（ソフト），ＳＭＴＰサーバ（ソフト），ＤＨＣＰサーバ（ソフト）およびその他のファイル，メールの送受信に使用するサーバ（ソフト）がセットアップされている。なお、これらのソフト（プログラム）はＨＤＤに格納されている。
【００５４】
システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００５５】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００５６】
スキャナ２１０およびＡＤＦのＣＣＤ２０７で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００５７】
ＩＭＡＣは、システムコントローラ３１ａの制御に基づいて、画像データとＭＥＭ，ＨＤＤのアクセス制御，ＬＡＮ上に接続したパソコンＰＣ（以下では単にＰＣと表記）のプリント用データの展開，ＭＥＭ，ＨＤＤの有効活用のための画像データの２次圧縮／伸張、ならびに、各種サーバ（ソフト）を使用する画像ファイルの生成およびＬＡＮ又はインターネットを介する送，受信を行う。
【００５８】
ＩＭＡＣへ送られた画像データは、データ圧縮後、ＭＥＭ又はＨＤＤに蓄積され、蓄積された画像データは必要に応じて読み出される。プリントのために読み出された画像データは、伸張され、１次圧縮データに戻しＩＭＡＣからパラレルバスＰｂを経由してＣＤＩＣへ戻され、ＣＤＩＣで１次伸張されて本来の画像データに戻される。ＣＤＩＣからＩＰＰへの転送後は画質処理をして書込みＩ／Ｆ１３４に出力し、作像ユニット１３５において転写紙（用紙）上に再生画像を形成する。ＬＡＮ又はインターネットを介して送信をする場合には、２次圧縮データのまま或いはＰＣとの共用性が高い別の圧縮方式で圧縮して、ネットワークＩ／Ｆ３８およびルータを介して、ＬＡＮ又はインターネットに送出する。
【００５９】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００６０】
複数ジョブ、たとえば、画像読み取り機能，コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソース（ジョブ）の起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能，連結転送機能等の処理内容を設定する。
【００６１】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００６２】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００６３】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００６４】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００６５】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。
【００６６】
汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００６７】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、このコントローラ３１ａを不揮発メモリ３５ａおよびＲＡＭ３４ａと接続する。
【００６８】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。
【００６９】
システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００７０】
ＣＤＩＣは、カラー原稿スキャナ２１０（ＳＢＵ）が出力する画像データを受けて、ＩＰＰに出力する。ＩＰＰは、「スキャナ画像処理」１９０をして、ＣＤＩＣに送りだす。ＣＤＩＣは、パラレルバスＰｂでの転送効率を高めるために画像データの１次圧縮を行う。圧縮した画像デ−タは、パラレルバスＰｂへ送出される。パラレルデータバスＰｂから入力される画像データはバス転送のために１次圧縮されており、ＣＤＩＣで伸張される。伸張された画像データはＩＰＰへ転送される。ＩＰＰでは、「画質処理」によりＲＧＢ画像データをＹＭＣＫ画像データに変換し、プリンタ１００の画像出力用の画像データＹｐ，Ｍｐ，Ｃｐ，Ｋｐに変換してカラープリンタ１００に出力する。
【００７１】
ＣＤＩＣは、パラレルバスＰｂで転送するパラレルデータとシリアルバスＳｂで転送するシリアルデータの変換機能を併せ持つ。システムコントローラ３１ａは、パラレルバスＰｂにデータを転送し、プロセスコントローラ１３１は、シリアルバスＳｂにデータを転送する。ＣＤＩＣは、２つのコントローラ１，１３１の通信のために、パラレル／シリアルデータ変換を行う。
【００７２】
図５に、ＩＭＡＣの構成の概略を示す。ＩＭＡＣは、アクセス制御１７２、メモリ制御１７３、２次圧縮／伸張モジュール１７６、画像編集モジュール１７７、システムＩ／Ｆ  １７９、ローカルバス制御１８０、パラレルバス制御１７１、シリアルポート制御１７５、シリアルポート１７４およびネットワーク制御１７８を備えている。２次圧縮／伸張モジュール１７６、画像編集モジュール１７７、パラレルバス制御１７１、シリアルポート制御１７５およびネットワーク制御１７８は、それぞれＤＭＡＣ（ダイレクトメモリアクセス制御）を介してアクセス制御１７２に接続されている。
【００７３】
システムＩ／Ｆ  １７９はシステムコントローラ３１ａに対する命令またはデータの送受信をおこなう。基本的に、システムコントローラ３１ａはＡＣＰ全体を制御する。また、システムコントローラ３１ａはＭＥＭ，ＨＤＤの資源配分を管理し、他のユニットの制御は、システムＩ／Ｆ  １７９、パラレルバス制御１７１およびパラレルバスＰｂを介しておこなう。ＡＣＰの各ユニットは基本的にパラレルバスＰｂに接続されている。したがって、パラレルバス制御１７１は、バス占有の制御をおこなうことによってシステムコントローラ３１ａおよびＭＥＭ，ＨＤＤに対するデータの送受信を管理する。
【００７４】
ネットワーク制御１７８は、ＬＡＮおよびインターネットとの接続を制御する。ネットワーク制御１７８は、ネットワークに接続された外部拡張機器に対するデータの送受信を管理する。すなわち、ＨＤＤに格納（セットアップ）したｗｗｗサーバ，ＦＴＰサーバ，ＳＭＴＰサーバ，ＤＨＣＰサーバおよびその他の、ファイル，メールの送受信に使用するサーバに基づいて、ＬＡＮおよびインターネットを介するファイル，メールの送受信を行う。また、送信ファイルの生成ならびに受信ファイルのディレクトリへの付加を行う。システムコントローラ３１ａは、ネットワーク上の接続機器の動作管理には関与しないが、ＩＭＡＣにおけるインターフェースについては制御をおこなう。例えば、操作ボード２２０又はＰＣからの原稿読み取り＆送信のコマンドに対応してＩＭＡＣに、送信ファイルの生成，送信先のディレクトリの生成および送信を指示する。
【００７５】
シリアルバスに接続されるシリアルポート１７４は複数のポートを備えている。シリアルポート制御１７５は、用意されているバスの種類に対応する数のポート制御機構を備えている。外部シリアルポートとは別に、操作部とのコマンド受け付けまたは表示に関するデータの送受信の制御を行う。ローカルバス制御１８０は、システムコントローラ３１ａを起動させるために必要なＲＡＭ３４ａ，不揮発メモリ３５ａおよびプリンタコードデータを展開するフォントＲＯＭ３６ａが接続されたローカルシリアルバスＲｂとのインターフェースをおこなう。アクセス制御１７２は、システムＩ／Ｆ  １７９からシステムコントローラ３１ａによるコマンド制御を実施する。データ制御はＭＥＭ，ＨＤＤを中心に、外部ユニットからのＭＥＭ，ＨＤＤアクセスを管理する。画像データはＣＤＩＣからパラレルバスＰｂを介してＩＭＡＣに転送される。そして、その画像データはパラレルバス制御１７１においてＩＭＡＣ内に取り込まれる。取り込まれた画像データのメモリアクセスは、システムコントローラ３１ａの管理から離れる。すなわち、そのメモリアクセスは、システム制御から独立してダイレクトメモリアクセス制御（ＤＭＡＣ）によりおこなわれる。ＭＥＭ，ＨＤＤへのアクセスについて、アクセス制御１７２は複数ユニットからのアクセス要求の調停をおこなう。そして、メモリ制御１７３は、ＭＥＭ，ＨＤＤのアクセス動作またはデータの読み出し／書き込みを制御する。
【００７６】
ネットワークからＭＥＭ，ＨＤＤへアクセスする場合、ネットワークからネットワーク制御１７８を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。シリアルバスからＭＥＭ，ＨＤＤへアクセスする場合、シリアルポート制御１７５によりシリアルポート１７４を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【００７７】
各外部ユニットとのインターフェースについては、システムコントローラ３１ａが管理する。ＩＭＡＣ内に取り込まれた後のデータ転送については、図５に示すそれぞれのＤＭＡＣがメモリアクセスを管理する。この場合、各ＤＭＡＣは、お互いに独立してデータ転送を実行するため、アクセス制御１７２は、ＭＥＭ，ＨＤＤへのアクセスに関するジョブの衝突、または各アクセス要求に対する優先付けをおこなう。
【００７８】
ここで、ＭＥＭ，ＨＤＤへのアクセスには、各ＤＭＡＣによるアクセスの他に、格納データのビットマップ展開のためにシステムＩ／Ｆ  １７９を介してシステムコントローラ３１ａからのアクセスも含まれる。アクセス制御１７２において、ＭＥＭ，ＨＤＤへのアクセスが許可されたＤＭＡＣデータ、またはシステムＩ／Ｆ  １７９からのデータは、メモリ制御１７３によりＭＥＭ，ＨＤＤに直接転送される。
【００７９】
ＩＭＡＣは、その内部でのデータ加工に関して２次圧縮／伸張モジュール１７６および画像編集モジュール１７７を有する。２次圧縮／伸張モジュール１７６は、画像データまたはコードデータをＭＥＭ，ＨＤＤへ有効に蓄積できるようにデータの圧縮および伸張をおこなう。２次圧縮／伸張モジュール１７６はＤＭＡＣによりＭＥＭ，ＨＤＤとのインターフェースを制御する。
【００８０】
ＭＥＭ，ＨＤＤに一旦格納された画像データは、ダイレクトメモリアクセス制御ＤＭＡＣによりＭＥＭ，ＨＤＤからメモリ制御１７３、アクセス制御１７２を介して２次圧縮／伸張モジュール１７６に呼び出される。そこでデータ変換された画像データは、ダイレクトメモリアクセス制御ＤＭＡＣにより、ＭＥＭ，ＨＤＤへ戻されるか、外部バスへ出力される。
【００８１】
画像編集モジュール１７７は、ＤＭＡＣによりＭＥＭ，ＨＤＤを制御し、ＭＥＭ，ＨＤＤ内でのデータ加工をおこなう。具体的には、画像編集モジュール１７７は、メモリ領域のクリアの他に、データ加工として画像データの回転処理，異なる画像同士の合成などをおこなう。画像編集モジュール１７７は、ＭＥＭ，ＨＤＤから２次圧縮データを読出して２次圧縮／伸張モジュール１７６で１次圧縮データに伸張し、モジュール１７７内で、ＣＤＩＣのデータ伸張１６３と同じ復号化ロジックで１次圧縮データを画像データに伸張してモジュール１７７内のメモリに展開し、それを加工する。加工した画像データは、ＣＤＩＣの１次圧縮ロジックと同じ符号化ロジックで１次圧縮して、２次圧縮／伸張モジュール１７６で更に２次圧縮してＭＥＭ，ＨＤＤに書込む。
【００８２】
図６に、ＰＣからの画像読み取りコマンドに応答してシステムコントローラ３１ａがスキャナ２１０を起動して原稿画像を読み取り、そしてＩＭＡＣを介してＨＤＤに蓄積してから、ＩＭＡＣを使用してＰＣに転送する「画像読み取り転送」のときの画像データ処理装置ＡＣＰ内の画像データの流れと、ＩＰＰ内の画像データ処理機能の概要を示す。なお、画像データ転送経路に介在するＣＤＩＣおよび各種Ｉ／Ｆの図示は省略した。
【００８３】
カラー原稿スキャナ２１０が原稿読み取りにより発生する色分解のＲ，Ｇ，Ｂ画像データは、第１および第２の解像度変換４１および４２でそれぞれ、３００ｄｐｉおよび１５０ｄｐｉに変換されて、モノクロ画像補正処理５０およびカラー画像補正処理６０に送られる。
【００８４】
モノクロ画像補正処理５０は、スキャナγ補正５１によってスキャナ２１０の画像読み取り特性によるＲＧＢ画像データの色成分輝度表現を補正してから、モノクロ変換５２によってＲＧＢ画像データを単色黒（モノクロ）の明暗の階調（グレースケール）を表わすモノクロ多値データ（すなわちグレースケールデータ）に変換する。モノクロ変換５２は、ＲＧＢ画像データから計算式で輝度を求めている。そして明暗の階調の変化を滑らかにするフィルタ処理５３を行い、この段階ではＰＣに転送する予定の画像データであるので、出力γ補正５４によって、ＰＣのディスプレイのグレースケール画像表現に適合する画像データに補正して、ＩＭＡＣに送出する。ＩＭＡＣは、ＨＤＤの蓄積領域にグレースケール画像ファイルを生成して該画像ファイルにグレースケール画像データを書込む。
【００８５】
カラー画像補正処理６０は、ＲＧＢ画像データをスキャナγ補正６１によって色成分輝度表現を補正してから、階調の変化をなめらかにするフィルタ処理６２を施してから、色補正処理６３で色表現を補正し、そして出力γ補正６４によって、ＰＣのディスプレイのカラー画像表現に適合する画像データに補正して、ＩＭＡＣに送出する。ＩＭＡＣは、ＨＤＤの蓄積領域にカラー画像ファイルを生成して該画像ファイルにカラー画像データを書込む。
【００８６】
上記スキャナγ補正５１，６１は、反射率リニアである読み取りデータを明度などのある一定のγに変換するものである。これは入力８ｂｉｔ、出力８ｂｉｔのＬＵＴ（ルックアップテーブル）で構成される。フィルタ処理５３，６２は、５×５画素マトリクスサイズの空間フィルタである。色補正処理６３は、３×３画素マトリクスの行列演算による線形変換でもよいし、ＬＵＴでもよい。出力γ補正５４，６４は、ＬＵＴによって構成されている。ユーザの読み取り画像明度の変更指示によってＬＵＴの内容が変更されることで、読み取り画像明度の変更が行われる。
【００８７】
モノクロ画像補正処理５０およびカラー画像補正処理６０がＲＧＢ画像データを同時に補正処理し、グレースケール画像データおよびカラー画像データをＨＤＤの蓄積領域に生成した各画像ファイルに書込む間に、それと並行して、カラー／モノクロ判定４０が、ＲＧＢ画像データが表わす画像（原稿画像）がカラーかモノクロかの判定を行う。
【００８８】
図７に、カラー／モノクロ判定４０の判定処理の概要を示す。１ページの画像の読み取りの最初に、カラー判定回数（カラー画素数）カウントレジスタＣＬＲcntを初期化する（ステップ１）。なお、以下においては、カッコ内には、ステップという語を省略して、ステップＮｏ．数字又は記号のみを記す。そして１ページの画像の読み取りの最初から、各画素について、それ宛てのＲ，Ｇ，Ｂ画像データ間の最大値rgbＭａｘと最小値rgbＭｉｎを算出して（２）、両者の差を求めて、この差がしきい値ＣＬＲthrethを超えると、色画素であると判定して、カウントレジスタＣＬＲcntのデータ値を１インクレメントする。すなわち１カウントアップする（３，４）。そしてカウントレジスタＣＬＲcntのデータ値がしきい値ＣＬＲcnt threthより大きければ対象画像がカラー画像であると判定し、判定結果「カラー」をシステムコントローラ３１ａに出力する（５，６）。
【００８９】
カウントレジスタＣＬＲcntのデータ値がしきい値ＣＬＲcnt threth以下の間はＲＧＢ画像データ（判定対象画素）が切り換わる度に、色画素かの判定を行う。１ページの画像の読み取りの最後の画素も色画素と判定せず、「カラー」との判定結果が得られなかったときには、判定結果「モノクロ」をシステムコントローラ３１ａに出力する（７，８）。
【００９０】
１ページの原稿読み取りが終わる度にシステムコントローラ３１ａは、判定結果「カラー」／「モノクロ」を、ＨＤＤに生成した２つの画像ファイル内の画像データの該当ページと対応付けてＨＤＤに蓄積する。
【００９１】
ユーザが原稿スキャナ２１０（ＡＤＦ２３０を含む；以下も同様）に設定した枚数（ページ数）の原稿読み取りが終了するとシステムコントローラ３１ａは、ＩＭＡＣを用いて、画像読み取りを指示したＰＣに、ＨＤＤの蓄積領域に生成した画像ファイルの各ページの画像データを転送する。このとき、ＨＤＤの蓄積領域には、グレースケール画像ファイルとカラー画像ファイルの２つがあるので、両ファイルの一方の画像データをページ単位で選択して転送ファイルに判定結果を付けて格納して、ＰＣに転送する。
【００９２】
図８に、システムコントローラ３１ａの画像データ（ページ画像）を選択するロジックの概要を示す。システムコントローラ３１ａは、ＰＣから当初受けた「画像読み取り転送コマンド」の中の読み取りモード指定を参照して、それが「自動」であると、ＨＤＤに生成した２つの画像ファイルの各ページごとに、それに対応付けて蓄積している判定結果データを参照して、ＩＭＡＣを用いて、判定結果が「カラー」のページはカラー画像ファイルから該当ページを抽出し、判定結果が「モノクロ」のページはグレースケール画像ファイルから該当ページを抽出して、判定結果を付して転送ファイルに格納し、全ページの格納を終えると該転送ファイルをＰＣに転送する（１２〜１４）。
【００９３】
このような仕組みにより、解像度変換とその後のモノクロ画像処理およびカラー画像処理を並行して行なってグレースケール画像データとカラー画像データを共にＨＤＤに蓄積するので、蓄積後に画像処理を行なう必要がなく即座に画像データの送信を行うことができる。
【００９４】
ＰＣから当初受けた「画像読み取り転送コマンド」の中の読み取りモード指定が「モノクロ」であったときにはシステムコントローラ３１ａは、ＨＤＤに生成したグレースケール画像ファイルの各ページの画像データを判定結果を付してＰＣに転送する（１１から直接に１３）。ＰＣから当初受けた「画像読み取り転送コマンド」の中の読み取りモード指定が「カラー」であったときには、ＨＤＤに生成したカラー画像ファイルの各ページの画像データを判定結果を付してＰＣに転送する（１１から直接に１４）。このような転送をした後、他のタスクの指示がなく、同一のＰＣから再転送コマンドを受けるとシステムコントローラ３１ａは、再転送コマンドに含まれる読み取りモード指定に応じて、ＨＤＤに蓄積している上記２つの画像ファイルの中の各ページの画像データを判定結果を付してＰＣに転送する（１６）。このステップ１６の内容は、上述のステップ１１〜１４の内容と同じである。
【００９５】
図９に、前記ＰＣがシステムコントローラ３１ａに「画像読み取り転送コマンド」を与えるための、ＰＣのディスプレイに表示される読み取り指示入力画面の一部分を示す。図９上の「読み取りモード」枠内には、「カラー」，「自動」，「モノクロ」があり、そのいずれかをキーボード又はマウスによって選択指定できる。図９は、「自動」が選択されている状態を示す。なお、デフォルトの選択指定は「自動」である。「読み取りモード」枠の下方の枠内の「複数読み取り」はコンタクトガラス２３１上に載置した原稿シート又はブックの読み取り（フラットベッド方式の読み取り）を１回（１ページ）のみでなく、ユーザの手ざし交換とスタートキー押下が繰り返される間、１群の原稿として読み取りを行うことを指定するものであり、この読み取り作業を開始した後は、「複数終了」をユーザがクリックするまで、同一画像ファイルに各ページの画像データが書き込まれる。「ＡＤＦを使用」は、原稿読み取りをＡＤＦ２３０に限定するものであり、これが指定された場合には、ＡＤＦ２３０に装着した原稿の全てが、連続して読み取られて、同一画像ファイルに各ページの画像データが書き込まれる。
【００９６】
ユーザが原稿スキャナ２１０（ＡＤＦ２３０を含む）に原稿をセットし、読み取りモードを指定し、必要に応じて「複数読み取り」又は「ＡＤＦを使用」を指定して、「読み取り」キーをクリックすると、ＰＣが「画像読み取り転送」コマンドを生成してシステムコントローラ３１ａに送信する。システムコントローラ３１ａがこれに応答して原稿読み取りを起動し、そしてＰＣに対して図８に示す画像データの転送を行うと、ユーザはＰＣのディスプレイに読み取り画像を展開表示することができる。読み取り画像を展開表示するときＰＣは、付属の判定結果（カラー／モノクロ）を同一画面に文字表示する。
【００９７】
ここで、たとえば画像がグレースケール表示となり、ユーザが該グレースケール表示に不満足の場合には、ユーザは画像表示を閉じて図９に示す読み取り指示入力画面に戻って、読み取りモードの「カラー」を指定してから、「再送」キーをクリックすると、ＰＣが再転送コマンドをシステムコントローラ３１ａに送信する。これに応答してシステムコントローラ３１ａは、図８のステップ１５，１６を実行して、ＨＤＤに生成しているカラー画像ファイルの画像データをＰＣに転送する。
【００９８】
このような仕組みにより、ＰＣに於いてユーザが読み取りモードの指定を誤った場合、あるいは、画像表示を見てから読み取りモードを変更したい場合、原稿読み取りを再度行うことなく、即座に指定読み取りモードの画像データの送信が行われる。ＰＣのデイスプレイの画像表示面には、自動判定結果「カラー」／「モノクロ」が表示されるので、ユーザはこれを参照して適正な「読み取りモード」を判定することができる。
【実施例２】
【００９９】
第２実施例のハードウエアは上述の第１実施例と同様であるが、第２実施例では、システムコントローラ３１ａの「読み取り画像の転送制御」（３１ａｐ）の内容が、第１実施例のものと少し異なる。
【０１００】
図１０に、第２実施例のシステムコントローラ３１ａが実行する「読み取り画像の転送制御」（３１ａｐ）の内容を示す。この第２実施例では、ＰＣが指定する読み取りモードの中の「モノクロ」に、モノクロ（２値：例えばワープロ文書）とモノクロ（グレースケール：例えば白黒写真）の２種がある。すなわち、ＰＣのディスプレイに表示される読み取り指示入力画面の「読み取りモード」枠内には、図１１に示すように、「カラー」，「自動」，「モノクロ（グレースケール）」の他に「モノクロ（２値）」があり、そのいずれかをキーボード又はマウスによって選択指定できる。したがってＰＣがシステムコントローラ３１ａに与える「画像読み取り転送コマンド」が、「モノクロ（２値）」を指定するものである場合がある。しかし、第２実施例のＩＰＰは、図６に示す第１実施例のＩＰＰと同じく、モノクロ画像補正処理５０は、グレースケール画像データ（モノクロ多値データ）を出力するので、「モノクロ（２値）」が指定されていると、グレースケール画像データの２値化が必要である。
【０１０１】
再度図１０を参照する。第２実施例のシステムコントローラ３１ａは、ＰＣから当初受けた「画像読み取り転送コマンド」の中の読み取りモード指定を参照して、それが「自動」であると、ＨＤＤに生成した２つの画像ファイルの各ページごとに、それに対応付けて蓄積している判定結果データを参照して、ＩＭＡＣを用いて、判定結果が「カラー」のページはカラー画像ファイルから該当ページを抽出し、判定結果が「モノクロ」のページはグレースケール画像ファイルから該当ページを抽出して、判定結果を付して、ＰＣに転送する（１２〜１４）。
【０１０２】
ＰＣから当初受けた「画像読み取り転送コマンド」の中の読み取りモード指定が「モノクロ（グレースケール）」であったときには、ＨＤＤに生成したグレースケール画像ファイルの各ページの画像データを判定結果を付してＰＣに転送する（１１−２０−１３）。ＰＣから当初受けた「画像読み取り転送コマンド」の中の読み取りモード指定が「カラー」であったときには、ＨＤＤに生成したカラー画像ファイルの各ページの画像データを判定結果を付してＰＣに転送する（１１から直接に１４）。「画像読み取り転送コマンド」の中の読み取りモード指定が「モノクロ（２値）」であったときには、システムコントローラ３１ａは、ＨＤＤのグレースケール画像ファイルのモノクロ多値画像データを、ＩＰＰの、プリンタ出力用の画質処理で用いる２値化（図示せず）を用いて２値化して（２０，２１）、判定結果を付してＰＣに転送する（２２）。このような転送をした後、他のタスクの指示がなく、同一のＰＣから再転送コマンドを受けるとシステムコントローラ３１ａは、再転送コマンドに含まれる読み取りモード指定に応じて、ＨＤＤに蓄積している上記２つの画像ファイルの中の各ページの画像データ、またはモノクロ２値化データ、を判定結果を付してＰＣに転送する（１６〜１９）。これらのステップ１６〜１９の内容は、上述のステップ１１〜１４および２０〜２２の内容と同じである。第２実施例のその他の機能は、第１実施例と同様である。
【実施例３】
【０１０３】
図１２に、第３実施例の、原稿読み取り画像データをＰＣに転送するときのＩＰＰのスキャナ画像処理機能を示す。このスキャナ画像処理機能は図６に示す第１実施例のものと少し異なる。ユーザの要求する解像度はカラーとモノクロで全く異なった解像度を要求されることはまれで、たとえばモノクロ３００ｄｐｉ、カラー１５０ｄｐｉといった組合わせがほとんどである。このような場合、図１２に示すように、第１の解像度変換４１で解像度変換したＲＧＢ画像データを第２の解像度変換４３で更に解像度変換するという具合にタンデムに解像度変換することにより、第２の解像度変換４３は、画素間引きなどの簡易的な回路で十分な機能を達成できる。このようにすることで解像度変換全体の機能を単純化することができる。
【０１０４】
図１２に示す第１の解像度変換４１はカラー原稿スキャナ２１０が発生するＲＧＢ画像データを３００ｄｐｉの解像度に変換し、第２の解像度変換４３は画素間引きにより、３００ｄｐｉのＲＧＢ画像データを１５０ｄｐｉに変換する。なお、第３実施例のシステムコントローラ３１ａの「読み取り画像の転送制御」（３１ａｐ）の内容は、図８に示す第１実施例のものであっても、図１０に示す第２実施例のものであってもよい。第３実施例のその他のハードウエアおよび機能は、第１実施例と同様である。
【実施例４】
【０１０５】
図１３に、第４実施例の、原稿読み取りで得る画像データをＰＣに転送するときのＩＰＰのスキャナ画像処理機能を示す。第４実施例のＩＰＰのスキャナ画像処理機能は、図６に示す第１実施例のＩＰＰのスキャナ画像処理機能に、グレースケール画像データを２値化して「モノクロ（２値）」データとする２値化５５が加わっている。これにより、モノクロ画像補正処理５０が生成するグレースケール画像データを２値化５５がモノクロ２値画像データに変換して、ＩＭＡＣに送出する。ＩＭＡＣは、ＨＤＤの蓄積領域にモノクロ２値画像ファイルを生成して、該画像ファイルにモノクロ２値画像データを書込む。
【０１０６】
図１４に、第４実施例のシステムコントローラ３１ａが実行する「読み取り画像の転送制御」（３１ａｐ）の内容を示す。この第４実施例でも、ＰＣが指定する読み取りモードの中の「モノクロ」に、モノクロ（２値）とモノクロ（グレースケール）の２種がある。すなわち、ＰＣのディスプレイに表示される読み取り指示入力画面の「読み取りモード」枠内には、図１１に示すように、「カラー」，「自動」，「モノクロ（２値）」の他に「モノクロ（グレースケール）」があり、ユーザはそれらのいずれか１つをキーボード又はマウスによって選択指定できる。したがってＰＣがシステムコントローラ３１ａに与える「画像読み取り転送コマンド」が、「モノクロ（グレースケール）」を指定するものである場合がある。しかし、第４実施例のＩＰＰは、２値化５５によりグレースケール画像データをモノクロ（２値）に変換しているので、「モノクロ（グレースケール）」の画像データが要求される場合には、ＨＤＤに蓄積したカラー画像ファイルのＲＧＢ画像データをモノクロ多値データすなわちグレースケールデータに変換する必要がある。
【０１０７】
再度図１４を参照する。第４実施例のシステムコントローラ３１ａは、ＰＣから当初受けた「画像読み取り転送コマンド」の中の読み取りモード指定を参照して、それが「自動」であると、ＨＤＤに生成した２つの画像ファイルの各ページごとに、それに対応付けて蓄積している判定結果データを参照して、ＩＭＡＣを用いて、判定結果が「カラー」のページはカラー画像ファイルから該当ページを抽出し、判定結果が「モノクロ」のページはモノクロ２値画像ファイルから該当ページを抽出して、判定結果を付して転送ファイルに格納して、該転送ファイルをＰＣに転送する（１２〜１４）。
【０１０８】
ＰＣから当初受けた「画像読み取り転送コマンド」の中の読み取りモード指定が「モノクロ（２値）」であったときには、ＨＤＤに生成したモノクロ２値画像ファイルの各ページの画像データを判定結果を付してＰＣに転送する（１１−２０ａ−１３）。ＰＣから当初受けた「画像読み取り転送コマンド」の中の読み取りモード指定が「カラー」であったときには、ＨＤＤに生成したカラー画像ファイルの各ページの画像データを判定結果を付してＰＣに転送する（１１から直接に１４）。「画像読み取り転送コマンド」の中の読み取りモード指定が「モノクロ（グレースケール）」であったときには、システムコントローラ３１ａは、ＨＤＤに蓄積したカラー画像ファイルのＲＧＢ画像データを、ＩＰＰのモノクロ変換５２を用いてグレースケール画像データに変換して（２０ａ，２１ａ）、判定結果を付してＰＣに転送する（２２ａ）。このような転送をした後、他のタスクの指示がなく、同一のＰＣから再転送コマンドを受けるとシステムコントローラ３１ａは、再転送コマンドに含まれる読み取りモード指定に応じて、ＨＤＤに蓄積している上記２つの画像ファイルの中の各ページの画像データ、またはグレースケール画像データ、を判定結果を付してＰＣに転送する（１６〜１９ａ）。これらのステップ１６〜１９ａの内容は、上述のステップ１１〜１４および２０ａ〜２２ａの内容と同じである。第４実施例のその他の機能は、第２実施例と同様である。
【図面の簡単な説明】
【０１０９】
【図１】本発明の第１実施例の、複合画像処理機能があるフルカラー複写機の外観を示す拡大正面図である。
【図２】図１に示すカラープリンタＰＴＲの拡大縦断面図である。
【図３】図１に示すカラースキャナ２１０およびＡＤＦ２３０の拡大縦断面図である。
【図４】図１に示す複写機内の、画像処理システムの構成を示すブロック図である。
【図５】図４に示す画像メモリアクセス制御ＩＭＡＣの構成を示すブロック図である。
【図６】図４に示す画像データ処理器ＩＰＰの、スキャナ画像処理機能の概要を示すブロック図である。
【図７】図６に示すカラー／モノクロ判定４０の判定処理の概要を示すフローチャートである。
【図８】図４に示すシステムコントローラ３１ａの、パソコンＰＣへの画像読み取り転送のときの、転送制御の概要を示すフローチャートである。
【図９】図４に示すパソコンＰＣのディスプレイに表示される読み取り指示入力画面の一部分を示す平面図である。
【図１０】第２実施例のシステムコントローラ３１ａの、パソコンＰＣへの画像読み取り転送のときの、転送制御の概要を示すフローチャートである。
【図１１】第２実施例のシステムコントローラ３１ａに画像読み取り転送を指示するパソコンＰＣのディスプレイに表示される読み取り指示入力画面の一部分を示す平面図である。
【図１２】第３実施例の画像データ処理器ＩＰＰの、スキャナ画像処理機能の概要を示すブロック図である。
【図１３】第４実施例の画像データ処理器ＩＰＰの、スキャナ画像処理機能の概要を示すブロック図である。
【図１４】第４実施例のシステムコントローラ３１ａに画像読み取り転送を指示するパソコンＰＣのディスプレイに表示される読み取り指示入力画面の一部分を示す平面図である。
【符号の説明】
【０１１０】
８：第１トレイ
９：第２トレイ      １０：第３トレイ
１１：第１給紙装置  １２：第２給紙装置
１３：第３給紙装置  １４：縦搬送ユニット
１５：感光体        １６：搬送ベルト
１７：定着ユニット  １８：排紙ユニット
１９：分岐爪        ２６：搬送モータ
２７：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
２２１，２２５：ロータリエンコーダ
２２４：ステッピングモータ
２３１：原稿台ガラス    ２３２：照明ランプ
２３３：第１ミラー      ２３４：第２ミラー
２３５：第３ミラー      ２３６：レンズ
２０７：イメージセンサ  ２３８：ステッピングモータ
２３９：基準白板        ２４０：ガラス
２４１：原稿トレイ      ２４２：ピックアップローラ
２４３：レジストローラ対  ２４４：搬送ドラム
２４５：押さえローラ    ２４６，２４７：排紙ローラ
２４８：排紙トレイ兼用の圧板
２４９：基点センサ      ２５１：スケール
【図１】
2006261927.tif 000003
【図２】
2006261927.tif 000004
【図３】
2006261927.tif 000005
【図４】
2006261927.tif 000006
【図５】
2006261927.tif 000007
【図６】
2006261927.tif 000008
【図７】
2006261927.tif 000009
【図８】
2006261927.tif 000010
【図９】
2006261927.tif 000011
【図１０】
2006261927.tif 000012
【図１１】
2006261927.tif 000013
【図１２】
2006261927.tif 000014
【図１３】
2006261927.tif 000015
【図１４】
2006261927.tif 000016